(57)【要約】【課題】  本発明の目的は、シールテープの量を少なくしても、束線及び挿通孔との密着性が高いシール構造を提供することを目的とする。【解決手段】  上記課題を解決するために、本発明によるシール構造は、リード線２０の束線２１にシールテープ３０を巻き付け、この巻き付けられたシールテープ３０の外縁が、その外形より径小の挿通孔１２の周縁部で押圧されて、挿通孔１２の周縁とシールテープ３０の外縁との間を密着させたシール構造において、シールテープ３０の曲成部に複数方向に延出させたスリット３２を設けたことを特徴とする。【選択図】  図４
2007093149.tif 000002
【特許請求の範囲】
【請求項１】
リード線の束線に所定厚みの弾性発泡体からなるシールテープを巻き付け、この巻き付けられたシールテープの外縁が、前記シールテープの外径よりも径小に形成した挿通孔の周縁部で押圧されることで、挿通孔の周縁とシールテープの外縁との間を密着させるシール構造において、巻き付けられるシールテープの曲成部に複数方向に延びるスリットを穿設したことを特徴とするシール構造。
【請求項２】
スリットをＨ形状にしたことを特徴とする請求項１に記載のシール構造。
【請求項３】
スリットの先端を湾曲形状にしたことを特徴とする請求項１に記載のシール構造。
【請求項４】
請求項１ないし３のいずれかに記載のシール構造を備えたことを特徴とする冷蔵庫。
【発明の詳細な説明】
【技術分野】
【０００１】
本発明は、リード線の束線とその挿通孔との間のシール構造に関する。
【背景技術】
【０００２】
従来より、浸水などを防止するため配線基板を収納ケースで覆い、この配線基板から外部に配設された電気部品への電源供給や制御信号の通信などを行うリード線の束線は、収納ケースに穿設された挿通孔を介して配線基板と電気部品とを連通させているが、この挿通孔と束線との間には、束線に孔内径よりも径大となるようにシールテープが巻き付けられ、このシールテープの外径が挿通孔により押圧されることで水密にシールされている。
【０００３】
冷蔵庫においては、庫内や機械室に設けられた電気部品の束線と挿通孔とのウレタンシール（例えば、特許文献１参照）や、近年では可燃性冷媒の採用により配線基板の束線と挿通孔とのエアーシールの必要性が生じており、多数の箇所でシールテープによるシールがなされている。
【０００４】
図８，図９はこのようなシール構造を示す束線とシールテープの斜視図であるが、シールテープ５１の裏面には粘着層５２が形成されており、ここでは４本のリード線が束ねられた束線５０の外周に巻き付けて貼着させている。シールテープ５１は押圧されても束線が傷つかず、かつ確実にシールがなされるように、巻き付けた状態で例えば１０〜２０ｍｍ程度の厚さが必要であるとともに、シールテープ５１のもつ弾性力により束線との貼着が剥がれないように、図８に示すように２〜３重に巻き付けたり、図９に示すように平坦な延長面５３を設けて粘着面を多くしている。
【特許文献１】特開平９−２４３２３８号公報
【発明の開示】
【発明が解決しようとする課題】
【０００５】
しかしながら、上記構成のようにリード線の本数が少ない場合には間隙が大きくなつことから、その分貼着面の径が小さくなるため、リード線との密着性を保持するためだけにシールテープの巻き付け量が多くなり、巻回作業やコスト面での課題であった。
【０００６】
本発明はこの点に着目してなされたもので、シールテープの量を少なくしても、束線及び挿通孔との密着性が高いシール構造を提供することを目的とする。
【課題を解決するための手段】
【０００７】
上記課題を解決するために、本発明によるシール構造は、リード線の束線に所定厚みの弾性発泡体からなるシールテープを巻き付け、この巻き付けられたシールテープの外縁が、前記シールテープの外径よりも径小に形成した挿通孔の周縁部で押圧されることで、挿通孔の周縁とシールテープの外縁との間を密着させるシール構造において、巻き付けられるシールテープの曲成部に複数方向に延びるスリットを穿設したことを特徴とする。
【発明の効果】
【０００８】
本発明によれば、束線に巻き付けてもスリットが設けられているため、シールテープの弾性力が緩和され、束線から剥がれ難くなるとともに、挿通孔との押圧によりスリットに負荷がかかってもスリットを複数方向に延出させているため、当該負荷を分散して裂けるなどの破損を抑制することにより、もって、シールテープの量を少なくしても、束線及び挿通孔との密着性が高いシール構造を提供することができる。
【発明を実施するための最良の形態】
【０００９】
以下、図面に基づき本発明の１実施形態について、ここでは冷蔵庫に用いられるシール構造について説明する。図１は本発明に係る冷蔵庫の背面カバーを外した状態を示す斜視図であり、冷蔵庫本体１は、鋼板からなる外箱と特に図示しない内箱との間に断熱材を発泡充填させて断熱箱体を構成しており、外箱の背面は背面板１ａにより構成されている。
冷蔵庫本体１の背面底部には機械室２を配設しており、圧縮機３や電気部品を取付けている。５は、図２の分解図に示すように、配線基板１０を収納してエアーシールが施された収納ケースであり、冷蔵庫本体１の背面にネジ止め固定している。
【００１０】
収納ケース５は、本体１の背面に向けて開口させたボックス７と、この開口を覆う蓋体６とから構成されており、ボックス７には、２段に亙って電気的に接続された配線基板１０ａ，１０ｂを、仕切板８を介して配設している。蓋体６およびボックス７の側部には、それぞれ対向する位置に凹部１４と切欠き１３を設けており、蓋体６がボックス７に取付けられることで、これらの凹部１４と切欠き１３で挿通孔１２を形成している。なお、本発明の挿通孔とは、上記したように複数の構成物品で形成されていてもよく、１つの構成物品に穿設された孔でもよい。また、挿通孔の形状は円形でなくでも、リード線を通すことができる形状であればよい。
【００１１】
さて、２０は機械室２や庫内に配設した電気部品と配線基板１０とを電気的に接続させるリード線であり、本実施形態では４本のリード線２０を束ねた束線２１の先端にコネクタ２３を設けており、配線基板１０上のコネクタ１１と接続させるようになっている。
【００１２】
３０は、弾性発泡体から成形され、例えば２０ｍｍ程度の所定厚さを有するシールテープであり、挿通孔１２の内縁よりも径大になるように束線２１の外縁に巻き付け、束線２１が挿通孔１２に貫通した状態で挿通孔１２の周縁部に押圧されて圧縮し、挿通孔１２と束線２１との隙間をシールしている。
【００１３】
図３は、束線２１に巻き付ける前のシールテープ３０を示す斜視図であり、シールテープ３０の裏面には粘着層３１を形成しており、シールテープ３０のほぼ中央部には、複数方向に延出形成したスリット３２を設けている。このスリット３２は、束線２１に巻き付けた際に生じる曲成部に、型抜きなどで予め穿設したものであり、本実施形態では先端面を湾曲させ、Ｈ字状になるようにしている。
【００１４】
次に、図４ないし図６を参照して、本発明の作用について説明する。図４の斜視図に示すように、束線２１の外縁にシールテープ３０を巻き付けると、反発力により元の形に復元しようとして粘着面が引き剥がれる方向に動こうとするが、スリット３２を形成しているため、この反発力が弱まり従来のように多くのシールテープ３０を要しなくとも、引き剥がれを抑制することができる。また、スリット２１を形成することで、図４のＡ−Ａ線に沿う断面図である図５に示すように、隙間が発生する場合もあるが、図６に示すように、挿通孔１２により押圧された状態では、スリット２１による隙間は狭められほぼ密閉状態となるため、良好にシールすることができる。
【００１５】
また、スリット２１を複数方向に延出させているため、挿通孔１２より押圧されてもスリット２１にかかる負荷を分散することができ、もってスリット２１の先端が裂けるなどの破損を抑制することができる。さらに、本実施形態では、先端面を湾曲させているため、より先端が裂けることを抑制することができる。
【００１６】
さらにまた、本実施形態では、スリット２１の形状をＨ字状としているため、横方向のスリットにより巻回した際の弾性力を軽減することができるとともに、横方向のスリットの両端は縦方向のスリットが形成されているため、挿通孔１２より押圧されても横方向に裂けることで防止でき、シール状態を保持することができる。また、挿通孔１２の押圧はシールテープ３０の中心方向に対して力がかかるため、縦方向のスリットには、広がる方向に負荷がかからず、先端が裂けることを防止できます。
【００１７】
さらにまた、本実施形態では、シールテープ３０を小さくすることができる本発明のシール構造を冷蔵庫本体１に採用することにより、配線基板１０への防水機能の他に、可燃性冷媒によるエアーシールやウレタンシールなど様々な箇所に転用することができ、もって、シールの必要点数が多い冷蔵庫において巻回作業を短縮し、コスト面でも安価に製造することができる。
【００１８】
なお、上述した構成は本発明の１実施形態にすぎず本発明の要旨を変更しない範囲で種々の変更が可能であり、例えば、スリットの形状は図７に示すように、米字状など様々な形状にしてもよく、また、シールテープを厚み方向に貫通してい溝などでスリットを形成して弾性力を軽減するようにしてもよい。
【００１９】
さらに、上述した構成では、冷蔵庫に用いたシール構造として説明したが、冷蔵庫に限らず、シール構造を必要とする種々の電化製品に適応できることは言うまでもない。
【産業上の利用可能性】
【００２０】
本発明は、シール構造を必要とする種々の電化製品に利用することができる。
【図面の簡単な説明】
【００２１】
【図１】本発明の１実施形態を示す冷蔵庫背部の斜視図である。
【図２】図１の収納ケースを示す分解図である。
【図３】本発明のシールテープを示す斜視図である。
【図４】図３のシールテープを束線に巻き付けた状態を示す斜視図である。
【図５】図４のＡ−Ａ線に沿う断面図である。
【図６】図４のシールテープが挿通孔に押圧された状態を示す断面図である。
【図７】本発明の他の実施形態のシールテープを束線に巻き付けた状態を示す斜視図である。
【図８】従来のシールテープを束線に巻き付けた状態を示す斜視図である。
【図９】他の従来のシールテープを束線に巻き付けた状態を示す斜視図である。
【符号の説明】
【００２２】
１…冷蔵庫本体            ５…収納ケース        １０…配線基板
１２…挿通孔              ２０…リード線          ２１…束線
３０…シールテープ        ３１…粘着層            ３２…スリット
【図１】
2007093149.tif 000003
【図２】
2007093149.tif 000004
【図３】
2007093149.tif 000005
【図４】
2007093149.tif 000006
【図５】
2007093149.tif 000007
【図６】
2007093149.tif 000008
【図７】
2007093149.tif 000009
【図８】
2007093149.tif 000010
【図９】
2007093149.tif 000011